(57)【要約】      （修正有）【課題】通信時間の短縮が可能なネットワークを提供する。【解決手段】第１のネットワークＡと、第２のネットワークＢとを有し、第１のネットワークＡ内の第１の端末が受信および命令を生成する第１のデータの種類を判定し、第１の送信部へ第２の端末宛ての第１の通信権貸与データの送信指示信号の出力を行う時間を決定し、第１のデータの種類の判定結果に応じて、第１の送信部へ第２の端末宛ての第１の通信権貸与データの送信指示信号を出力するとともに、時間計測を開始前記する第１の判定部とを具備し、第１の判定部は、時間計測を開始してから第２の端末が第２の応答データを送信可能となる所定の時間ＴＢを経過した以降に、第１のネットワークＡ内の第１の端末が具備する第１の送信部へ、第１のネットワークＡ内の第２の端末宛ての第１の通信権貸与データの送信指示信号を出力することを特徴とするネットワークシステムとする。【選択図】図１
2015002404.tif 000002
【特許請求の範囲】
【請求項１】
第１の端末と前記第１の端末との通信が可能な第２の端末とを含む第１のネットワークＡと、前記第２の端末と前記第２の端末との通信が可能な第３の端末を含む第２のネットワークＢとを有し、
前記第１の端末が対応する端末への返信を要求する第１の要求データに応じた第２の要求データを前記第２の端末へ送信し、前記第２の端末が前記第２の要求データに応じた第３の要求データを前記第３の端末へ送信し、前記第３の端末が前記第３の要求データに応じた前記対応する端末宛ての第１の応答データを前記第２の端末へ送信し、前記第２の端末が前記第１の応答データに応じた第２の応答データを前記第１の端末へ送信し、
前記第１の端末は、前記第１のネットワークＡに適用可能な予め定められた第１の長さの期間の通信権を前記第１のネットワーク上に存在する端末に貸与するための前記第２の端末宛ての第１の通信権貸与データおよび前記第２の要求データを送信する第１の送信部と、前記第２の応答データを受信する第１の受信部と、前記第１の端末が受信および命令を生成する第１のデータの種類を判定し、前記第１の送信部へ前記第２の端末宛ての前記第１の通信権貸与データの送信指示信号の出力を行う時間を決定し、前記第１のデータの種類の判定結果に応じて、前記第１の送信部へ前記第２の端末宛ての前記第１の通信権貸与データの送信指示信号を出力するとともに、時間計測を開始する第１の判定部とを具備し、
前記第２の端末は、前記第２の端末宛ての前記第１の通信権貸与データおよび前記第２の要求データを受信する第２の受信部と、前記第２の応答データを送信する第２の送信部と、前記第３の要求データを送信する第３の送信部と、前記第１の応答データを受信する第３の受信部とを具備し、
前記第３の端末は、前記第３の要求データを受信する第４の受信部と、前記第１の応答データを送信する第４の送信部とを具備し、
前記第１の判定部は、前記時間計測を開始してから前記第２の端末が前記第２の応答データを送信可能となる所定の時間ＴＢを経過した以降、かつ、前記第１の通信権貸与データの前記第２の端末宛ての予め定められた送信指示間隔をＳとした場合に、ｎ・Ｓ＜ＴＢ≦（ｎ＋１）・Ｓを満たす（ｎ＋１）・Ｓ（但し、ｎは０以上の整数）より前に、前記第１の送信部へ前記第２の端末宛ての前記第１の通信権貸与データの送信指示信号を出力し、
前記第１の送信部が、前記第１の判定部が決定する前記第２の端末宛ての前記第１の通信権貸与データの送信指示信号の出力を行う時間以降に、前記第１の通信権貸与データの送信指示信号の入力に応じて、前記第１の通信権貸与データおよび前記第２の要求データを前記第２の受信部に送信するとともに、前記第２の端末が前記第２の応答データを送信可能となる前記所定の時間ＴＢを経過した以降に、前記第１の通信権貸与データの送信指示信号の入力に応じて、前記第１の通信権貸与データを前記第２の受信部に送信することを特徴とするネットワークシステム。
【請求項２】
前記ネットワークシステムは更に、前記第２のネットワークＢに適用可能な予め定められた第２の長さの期間の通信権を前記第２のネットワークＢ上に存在する端末に貸与するための前記第３の端末宛ての第２の通信権貸与データを有し、
前記第２の端末は前記第２の受信部が受信する前記第１のネットワークＡ内の端末から送信される第２のデータの種類を判定し、前記第２のデータの種類の判定結果に応じて、前記第３の送信部へ前前記第３の端末宛ての前記第２の通信権貸与データの送信指示信号を出力する第２の判定部を有し、
前記第２の判定部は、前記第１の判定部が前記第１の送信部へ一回目の前記第２の端末宛ての前記第１の通信権貸与データの送信指示信号を出力した時間から時間Ｔ４後に、前記第３の送信部へ一回目の前記第３の端末宛ての前記第２の通信権貸与データの送信指示信号を出力するとともに、前記第３の送信部へ前記一回目の前記第３の端末宛ての前記第２の通信権貸与データの送信指示信号を出力した時間から、前記第２の判定部が前記第３の端末宛ての前記第２の通信権貸与データの送信指示信号を出力する基本周期である時間ＴＣ後に、前記第３の送信部へ二回目の前記第３の端末宛ての前記第２の通信権貸与データの送信指示信号を出力し、
前記第２の端末は、前記第２の判定部が前記二回目の前記第３の端末宛ての前記第２の通信権貸与データの送信指示信号を出力した時間から時間Ｔ５の間に前記第２の応答データの前記第１の端末への送信準備を完了し、
前記第１の判定部は、前記時間計測を開始してから式１で与えられる前記第２の端末が第２の応答データを送信可能となる所定の時間ＴＢを経過した以降に、前記第１の送信部へ前記第２の端末宛ての前記第１の通信権貸与データの送信指示信号を出力することを特徴とする請求項１に記載のネットワークシステム。
式１：  ＴＢ  ＝  Ｔ４  ＋  ＴＣ  ＋  Ｔ５
【請求項３】
前記第１の判定部は、前記第２の端末宛ての前記一回目の前記第２の端末宛ての前記第１の通信権貸与データの送信指示信号の出力から前記第２の端末が第２の応答データを送信可能となる所定の時間ＴＢより前の時間Ｔ６後に前記第２の端末宛ての前記一回目の前記第２の端末宛ての前記第１の通信権貸与データの送信指示信号の出力前に予め定められた前記第２の端末宛ての前記第１の通信権貸与データの送信指示信号の出力を実行することなく、前記第２の端末宛ての前記一回目の前記第２の端末宛ての前記第１の通信権貸与データの送信指示信号の出力前に前記第２の端末が第２の応答データを送信可能となる所定の時間ＴＢ後に予め定められた前記第１のネットワークＡ上に存在する第５の端末宛ての前記第１の通信権貸与データの送信指示信号を出力する時間および前記時間Ｔ６後に出力する前記送信指示信号に対応する前記第１の通信権貸与データの宛て先を更新する請求項１または２に記載のネットワークシステム。
【発明の詳細な説明】
【技術分野】
【０００１】
本発明は、データ通信を行うネットワークシステムに関する。
【背景技術】
【０００２】
同一のネットワーク媒体を用いる通信ネットワークにおいて、通信親局（マスター、以下、単に親局）と通信子局（スレーブ、以下、単に子局）を含む複数の通信局が同時に送信を行うことを回避するため、ポーリング方式が知られている。
【０００３】
この方式では、親局が子局に対して、所定の時間の通信権を貸与するため通信権貸与データを送信し、通信権貸与データを受信した子局が通信権を一時的に獲得し送信を行うことが可能となる。一方、ネットワークの使用状況（キャリア）を検出する機能を有し、複数の通信局が同時に送信を行うことを回避する通信ネットワーク方式としてはキャリアセンス方式があるが、キャリアセンス方式はネットワークの使用状況（キャリア）を検出する機能が必要であるために構成が複雑になる事が知られており、ＲＳ４８５やＰＬＣなどのシリアル通信においてはポーリング方式が用いられることが多い。ポーリング方式は親機から送信される通信権貸与データを受信した子局だけが、引き続く一定の時間の期間に送信可能となるが、所定の手続きの結果、送信が可能になったとしても通信権貸与データを受信するまでの期間には送信を行うことができず、送信待ち時間の問題がある。一般にポーリング方式において送信待ち時間を短くするためには、通信権貸与データの送信間隔を短くすると良いが、その一方で１台当たりのネットワークの使用時間が増加するために、ネットワークに参加可能な端末の台数が減少するという問題があった。
【先行技術文献】
【特許文献】
【０００４】
【特許文献１】特開２００９−１００３８９号公報（株式会社日立製作所）
【発明の概要】
【発明が解決しようとする課題】
【０００５】
そこで、本発明の目的は、通信時間の短縮が可能なネットワークを提供する事にある。
【課題を解決するための手段】
【０００６】
上記課題を解決するために本発明は、第１の端末と第１の端末との通信が可能な第２の端末とを含む第１のネットワークＡと、第２の端末と第２の端末との通信が可能な第３の端末を含む第２のネットワークＢとを有し、第１の端末が対応する端末への返信を要求する第１の要求データに応じた第２の要求データを第２の端末へ送信し、第２の端末が第２の要求データに応じた第３の要求データを第３の端末へ送信し、第３の端末が第３の要求データに応じた対応する端末宛ての第１の応答データを第２の端末へ送信し、第２の端末が第１の応答データに応じた第２の応答データを第１の端末へ送信し、第１の端末は、第１のネットワークＡに適用可能な予め定められた第１の長さの期間の通信権を第１のネットワーク上に存在する端末に貸与するための第２の端末宛ての第１の通信権貸与データおよび第２の要求データを送信する第１の送信部と、第２の応答データを受信する第１の受信部と、第１の端末が受信および命令を生成する第１のデータの種類を判定し、第１の送信部へ第２の端末宛ての第１の通信権貸与データの送信指示信号の出力を行う時間を決定し、第１のデータの種類の判定結果に応じて、第１の送信部へ第２の端末宛ての第１の通信権貸与データの送信指示信号を出力するとともに、時間計測を開始する第１の判定部とを具備し、第２の端末は、第２の端末宛ての第１の通信権貸与データおよび第２の要求データを受信する第２の受信部と、第２の応答データを送信する第２の送信部と、第３の要求データを送信する第３の送信部と、第１の応答データを受信する第３の受信部とを具備し、第３の端末は、第３の要求データを受信する第４の受信部と、第１の応答データを送信する第４の送信部とを具備し、第１の判定部は、時間計測を開始してから第２の端末が第２の応答データを送信可能となる所定の時間ＴＢを経過した以降、かつ、第１の通信権貸与データの第２の端末宛ての予め定められた送信指示間隔をＳとした場合に、ｎ・Ｓ＜ＴＢ≦（ｎ＋１）・Ｓを満たす（ｎ＋１）・Ｓ（但し、ｎは０以上の整数）より前に、第１の送信部へ第２の端末宛ての第１の通信権貸与データの送信指示信号を出力し、第１の送信部が、第１の判定部が決定する第２の端末宛ての第１の通信権貸与データの送信指示信号の出力を行う時間以降に、第１の通信権貸与データの送信指示信号の入力に応じて、第１の通信権貸与データおよび第２の要求データを第２の受信部に送信するとともに、第２の端末が第２の応答データを送信可能となる所定の時間ＴＢを経過した以降に、第１の通信権貸与データの送信指示信号の入力に応じて、第１の通信権貸与データを第２の受信部に送信することを特徴とするネットワークシステムとする。
【０００７】
本様態によれば、第１の判定部の信号に基いて、第１の端末が第２の端末へ通信権貸与データを送信するので、第２の端末は第１の端末へ第２の応答データを送信することができる。よって、第１の端末は通信待ち時間を低減しデータを入手することが可能となる。従って、通信時間の短縮が可能なネットワークを提供することが可能となる。
【０００８】
また、本発明の望ましい形態としては、ネットワークシステムは更に、第２のネットワークＢに適用可能な予め定められた第２の長さの期間の通信権を第２のネットワークＢ上に存在する端末に貸与するための第３の端末宛ての第２の通信権貸与データを有し、第２の端末は第２の受信部が受信する第１のネットワークＡ内の端末から送信される第２のデータの種類を判定し、第２のデータの種類の判定結果に応じて、第３の送信部へ第３の端末宛ての第２の通信権貸与データの送信指示信号を出力する第２の判定部を有し、第２の判定部は、第１の判定部が第１の送信部へ一回目の第２の端末宛ての第１の通信権貸与データの送信指示信号を出力した時間から時間Ｔ４後に、第３の送信部へ一回目の第３の端末宛ての第２の通信権貸与データの送信指示信号を出力するとともに、第３の送信部へ一回目の第３の端末宛ての第２の通信権貸与データの送信指示信号を出力した時間から、第２の判定部が第３の端末宛ての第２の通信権貸与データの送信指示信号を出力する基本周期である時間ＴＣ後に、第３の送信部へ二回目の第３の端末宛ての第２の通信権貸与データの送信指示信号を出力し、第２の端末は、第２の判定部が二回目の第３の端末宛ての第２の通信権貸与データの送信指示信号の出力した時間から時間Ｔ５の間に第２の応答データの第１の端末への送信準備を完了し、第１の判定部は、時間計測を開始してから式１で与えられる第２の端末が第２の応答データを送信可能となる所定の時間ＴＢを経過した以降に、第１の送信部へ第２の端末宛ての第１の通信権貸与データの送信指示信号を出力することを特徴とするネットワークシステムとしてもよい。
式：  ＴＢ  ＝  Ｔ４  ＋  ＴＣ  ＋  Ｔ５（  式  −  １）
【０００９】
本様態によれば、第１の判定部の信号に基いて、第１の端末が第２の端末へ通信権貸与データを送信するので、第２の端末は第１の端末へ第２の応答データを送信することができる。よって、第１の端末は通信待ち時間を低減しデータを入手することが可能となる。従って、通信時間の短縮が可能なネットワークを提供することが可能となる。
【００１０】
また、本発明の望ましい形態としては、第１の判定部は、第２の端末宛ての一回目の第２の端末宛ての第１の通信権貸与データの送信指示信号の出力から第２の端末が第２の応答データを送信可能となる所定の時間ＴＢより前の時間Ｔ６後に第２の端末宛ての一回目の第２の端末宛ての第１の通信権貸与データの送信指示信号の出力前に予め定められた第２の端末宛ての第１の通信権貸与データの送信指示信号の出力を実行することなく、一回目の第２の端末宛ての第１の通信権貸与データの送信指示信号の出力前に第２の端末が第２の応答データを送信可能となる所定の時間ＴＢ後に予め定められた第１のネットワークＡ上に存在する第５の端末宛ての第１の通信権貸与データの送信指示信号を出力する時間および時間Ｔ６後に出力する送信指示信号に対応する第１の通信権貸与データの宛て先を更新することを特徴とするネットワークシステムとしてもよい。
【００１１】
本様態によれば、予め定められた第１のネットワークＡ上に存在する第５の端末宛ての第１の通信権貸与データの送信指示信号を出力する時間および時間Ｔ６後に出力する送信指示信号に対応する第１の通信権貸与データの宛て先を更新するので、第２の端末が第２の応答データを送信可能となる所定の時間ＴＢのタイミングで送信権を獲得する機会を失った第５の端末に対して適切な時間で通信権を貸与する事ができる。従って、通信時間の短縮が可能なネットワークを提供することが可能となる。
【発明の効果】
【００１２】
通信時間の短縮が可能なネットワークを提供することが可能となる。
【図面の簡単な説明】
【００１３】
【図１】本実施形態１の通信システムの概略図
【図２】本実施形態１のタイムチャート図
【図３】本実施形態１のフロー図
【図４】本実施形態１のフロー図
【図５】本実施形態２の通信システムの概略図
【図６】本実施形態２のタイムチャート図
【図７】本実施形態２のフロー図
【図８】本実施形態３の通信システムの概略図
【図９】本実施形態３のタイムチャート図
【発明を実施するための形態】
【００１４】
図１は、本実施形態１のデータ通信システム３５の概略図を示しており、図示するように本実施形態１は、第３のネットワークＣ（５）、第１のネットワークＡ（６）と第２のネットワークＢ（７）で構成されており、第３のネットワークＣ（５）には第４の端末１と第１の端末２が含まれており、第１のネットワークＡ（６）には、第１の端末２と第２の端末３が含まれており、第２のネットワークＢ（７）には、第２の端末３と第３の端末４が含まれている。それぞれのネットワークには、ここには図示されない他の端末が含まれていてもよい。
【００１５】
第４の端末１は第３のネットワークＣ（５）に存在する第１の端末２と通信可能な第６の送信部１７と第６の受信部２３を有しており、第１の端末２は第３のネットワークＣ（５）に存在する第４の端末１と通信可能な第５の送信部１５と第５の受信部２１と、第１のネットワークＡ（６）に存在する第２の端末３と通信可能な第１の送信部１６と第１の受信部２２を有しており、第２の端末３は、第１のネットワークＡ（６）に存在する第１の端末２と通信可能な第２の送信部１８と第２の受信部２４と、第２のネットワークＢ（７）に存在する第３の端末４と通信可能な第３の送信部１９と第３の受信部２５を有しており、第３の端末４は第２のネットワークＢ（７）に存在する第２の端末３と通信可能な第４の送信部２０と第４の受信部２６を有している。
【００１６】
第１の端末２は、予め定められた第１の長さの期間の通信権を第１のネットワークＡ（６）上に存在する第２の端末３へ貸与するための第２の端末３宛ての第１の通信権貸与データ１４（一回目）および第１の通信権貸与データ３１（二回目）を第１の送信部１６を介して送信し、第２の端末３へ第１のネットワークＡ（６）内に適用可能な通信権を貸与する。ここで、予め定められた第１の長さは第１のネットワークＡ（６）内の端末数、端末の優先順位などからの要請から決定されるものであり、予め決定されている。また、端末毎に第１の長さは異なっていてもよい。第１の通信権貸与データ１４（一回目）および第１の通信権貸与データ３１（二回目）を第２の受信部２４を介して受信した第２の端末３は、予め定められた第１の長さの期間である一定期間の第１のネットワークＡ（６）内に適用可能な通信権を取得し、第２の受信部２４および第２の送信部１８を介して第１のネットワークＡ（６）上に存在する第２の端末３と通信が可能となる。このように第１の端末２は第１のネットワークＡ（６）の通信権を貸与せずとも通信が可能な第１のネットワークＡ（６）のマスタとして機能し、第２の端末３は第１のネットワークＡ（６）のマスタより通信権を貸与されて初めて通信可能となる第１のネットワークＡ（６）のスレーブとして動作する。ここで、第１の通信権貸与データ（１４、３１）とは、第１のネットワーク（６）上に存在する端末に対応するデータを含んでおり、当該端末に対して予め定められた第１の長さの期間である一定期間の第１のネットワークＡ（６）内に適用可能な通信権を貸与するためのデータである。従って、第２の端末３へ貸与するための第２の端末３宛ての第１の通信権貸与データ（１４、３１）は、第２の端末３に対応するデータを含んでいる。後述する実施形態２に示される予め定められた第２の長さの期間（５１、５２）である一定期間の第２のネットワークＢ（７）内に適用可能な通信権である第２の通信権貸与データ（５１、５２）についても同様であり、第２のネットワークＢ（７）内に存在する端末に対応するデータが書き込まれている。つまり、第３の端末４宛ての第２の通信権貸与データ（５１、５２）には、第３の端末４に対応するデータが書き込まれている。通常、通信権の適用可能な時間、つまり、予め定められた第１の長さの期間および予め定められた第２の長さの期間は次回の同一端末または同一のネットワーク上に存在する他の端末に通信権が貸与される前に終了するように設定される。なお、実施形態１では、第２の通信権貸与データ（５１、５２）は必須ではない。
【００１７】
ここでネットワークとは有線に限るものではなく、通信媒体を介して電気的、光学的に情報を伝達する形態を表しており、特定小電力無線通信、ＩＥＥＥ８０２．１１、ＢｌｕｅＴｏｏｔｈ（登録商標）、ＵＷＢ、ＩｒＤＡ、光学通信、イーサネット（登録商標）、ＲＳ４８５、ＰＬＣなどの方式を用いるものであってよい。また、端末はＰＣ（パーソナルコンピュータ）や携帯電話などの情報機器や電源装置や製造装置であり、各端末には、それぞれここでは図示しないＣＰＵ（集積回路）などの制御部を有しており、制御部の所定の制御により端末内および端末間での各種情報（データ）を伝達するための処理を実施するものとする。
【００１８】
ここで、第４の端末１が第３の端末４宛ての第１の要求データ８を送信し、第１の要求データ８に応じた第３の要求データ１０を受信した第３の端末４が第４の端末１宛ての第１の応答データ１１を送信し、第４の端末１が第１の応答データ１１に応じた第３の応答データ１３を受信する手順を説明する。
【００１９】
まず、第４の端末１が第６の送信部１７を介して第１の要求データ８を第１の端末２へ送信する。第１の端末２は第５の受信部２１を介して第４の端末１が送信した第１の要求データ８を受信する。第１の端末２は、ここでは図示しない第１の要求データ８の受信完了を示すデータを第４の端末１に送信し、第２のネットワークＢ（７）に存在する第３の端末４宛ての第１の要求データ８を受信したことを第４の端末１に伝達してもよい。
【００２０】
ここで、第１の端末２は第１の判定部２８を具備し、第１の判定部２８は第５の受信部２１を介して受信した第１のデータ２９が、第２のネットワークＢ（７）に存在する第３の端末４宛てのデータであるとともに第４の端末１への返信を要求する第１の要求データ８であることを判定し、第１の送信部１６へ第２の端末３宛ての第１の通信権貸与データ１４（一回目）の送信指示信号５３の出力を行う時間を決定し、第１の送信部１６へ第２の端末３宛ての第１の通信権貸与データ１４（一回目）の送信指示信号５３を出力するとともに、時間計測を開始する。図２に第１の時間計測信号３０がＯＦＦからＯＮに変化し、時間計測が開始したことを示している。
【００２１】
ここで、第１の判定部２８は第１の送信部１６へ第２の端末３宛ての第１の通信権貸与データ１４（一回目）の送信指示信号５３の出力を行う時間を決定し、第２の端末３宛ての第１の通信権貸与データ１４（一回目）の送信指示信号５３を第１の送信部１６へ出力する時間から時間計測を開始し、第２の端末３が第２の応答データ１２を送信可能となる所定の時間ＴＢ３６を経過した以降、かつ、第１の通信権貸与データ１４（一回目）の第２の端末３宛ての予め定められた送信指示間隔をＳとした場合に、ｎ・Ｓ＜ＴＢ≦（ｎ＋１）・Ｓを満たす（ｎ＋１）・Ｓ（但し、ｎは０以上の整数）より前に、第１の送信部１６へ第２の端末３宛ての第１の通信権貸与データ３１（二回目）の送信指示信号５３を出力する。以下に説明する。
【００２２】
第１の判定部２８は、第１の送信部１６へ第２の端末３宛ての第１の通信権貸与データ１４（一回目）の送信指示信号５３の出力を行う時間を決定し、第１の通信権貸与データ１４（一回目）の送信指示信号５３を出力し、第１の送信部１６が予め定められた第１の長さの期間の通信権を第１のネットワークＡ（６）上に存在する第２の端末３へ貸与するための第２の端末３宛ての第１の通信権貸与データ１４（一回目）を送信する。ここで第１の判定部２８が出力する送信指示信号５３は、電気的な信号線の形態をとるとは限らない。第１の判定部２８と第１の送信部１６が共通に読み書きができる記録領域（図示せず）のデータの形態をとっても構わない。この場合、第１の判定部２８が更新する記録領域（図示せず）の第１の通信権貸与データ１４（一回目）の送信指示信号５３に対応するデータを第１の送信部１６が読み込むことになる。
【００２３】
なお、第１のネットワークＡ（６）、第２のネットワークＢ（７）、第３のネットワークＣ（５）を管理する上位システム（図示せず）が送信指示信号（図示せず）を出力する時間の管理を行っている場合などは、第１の判定部２８が第１のデータ２９を第１の要求データ８であることを判定して以降、第１のネットワークＡ（６）、第２のネットワークＢ（７）、第３のネットワークＣ（５）を管理する上位システム（図示せず）が管理している送信指示信号（図示せず）に基いて、第１の端末２内の第１の判定部２８が送信指示信号５３を出力する時間を決定すればよい。ここで上位システム（図示せず）が管理している送信指示信号（図示せず）は、電気的な信号線の形態をとるとは限らない。上位システム（図示せず）と第１の端末２内の第１の判定部２８が共通に読み書きができる記録領域（図示せず）のデータの形態をとっても構わない。
【００２４】
ここで、第２の端末３宛ての第１の通信権貸与データ（１４、３１）とは、予め定められた第１の長さの期間の通信権を第１のネットワークＡ（６）上に存在する第２の端末３に貸与するためのデータである。ここで、予め定められた送信指示期間Ｓとは、第１のネットワークＡ（６）内に存在する端末数、端末の優先順位などからの要請から決定される第２の端末３の第１の送信部１６が送信可能な第１の長さの期間の起点の間隔に相当するものであり、予め定められた送信指示期間Ｓに基いて、第１の判定部２８は送信指示信号を出力する。無論、予め定められた送信指示間隔Ｓと第１の通信権貸与データ１４（一回目）の通信可能な第１の長さの期間とを比較すると、第１の長さの期間の方が時間は短く設定されている。
【００２５】
また、第１の判定部２８から第２の端末３宛ての第１の通信権貸与データ１４（一回目）の送信指示信号５３を第１の送信部１６へ出力する時間が、第１のネットワークＡ（６）内に存在する第２の端末３の第１の送信部１６が送信可能な第１の長さの期間の起点の間隔である予め定められた送信指示期間Ｓの起点となる。
【００２６】
なお、第１のネットワークＡ（６）、第２のネットワークＢ（７）、第３のネットワークＣ（５）を管理する上位システム（図示せず）が予め定められた送信指示期間Ｓを決定してもよく、第１の端末２内の第１の判定部２８が決定してもよい。ここで上位システム（図示せず）が管理している送信指示信号（図示せず）は、電気的な信号線の形態をとるとは限らない。上位システム（図示せず）と第１の端末２内の第１の判定部２８が共通に読み書きができる記録領域（図示せず）のデータの形態をとっても構わない。また第１のネットワークＡ（６）に第２の端末３以外の端末がある場合（図示せず）、端末毎に異なる値の予め定められた送信指示期間Ｓが割り当てられても良い。
【００２７】
なお、第１の要求データ８に応じた第２の要求データ９が生成された場合、予め定められた送信指示間隔Ｓの起点となる時間となるまで、第１の端末２は第２の端末３に第１の通信権貸与データ１４（一回目）の送信指示信号５３を出力することはない。
【００２８】
第１の端末２は、ここでは図示していない制御部の所定の処理により第３のネットワークＣ（５）に存在する第４の端末１から得た第１の要求データ８に応じた第２のネットワークＢ（７）に存在する第３の端末４宛ての第２の要求データ９を生成する。
【００２９】
第１の端末２は、予め定められた第１の長さの期間の通信権を第１のネットワークＡ（６）上に存在する第２の端末３へ貸与するための第２の端末３宛ての第１の通信権貸与データ１４（一回目）を、第１の判定部２８から第２の端末３宛ての第１の通信権貸与データ１４（一回目）の送信指示信号５３が出力された第１の送信部１６を介して送信し、第２の端末３へ第１のネットワークＡ（６）内に適用可能な通信権を貸与するとともに、引き続き第２の要求データ９を第１の送信部１６を介して送信する。ここで、第１の端末２が第２の端末３宛ての第１の通信権貸与データ１４（一回目）を送信して以降に、第２の要求データ９を送信するまでの時間を時間Ｔ０３２とする。第２の端末３は、第２の端末３宛ての第１の通信権貸与データ１４（一回目）を第２の受信部２４を介して受信し、第１のネットワークＡ（６）内に適用可能な通信権を獲得し、引き続き第２の受信部２４を介して第１の端末２が送信した第２の要求データ９を受信する。第２の端末３は、ここでは図示しない第１の通信権貸与データ１４（一回目）および第２の要求データ９の受信完了を示すデータを第１の端末２に送信し、第２の端末３宛ての第１の通信権貸与データ１４（一回目）および第２のネットワークＢ（７）に存在する第３の端末４宛ての第２の要求データ９を受信したことを第１の端末２に伝達してもよい。また、ここでは第１の通信権貸与データ１４（一回目）とそれに引き続き送信される第２の要求データ９を異なるデータの塊として説明したが、第１の通信権貸与データ１４（一回目）と第２の要求データ９を同じデータの塊として送信しても構わない。
【００３０】
ここで所定の時間Ｔ０３２について説明する。時間Ｔ０３２は第１の判定部２８が第１の送信部１６へ第２の端末３宛ての第１の通信権貸与データ１４（一回目）の送信指示信号５３の出力を行う時間を決定し、第２の端末３宛ての第１の通信権貸与データ１４（一回目）の送信指示信号５３を出力して以降に、第２の要求データ９を送信するまでの時間とする。時間Ｔ０３２は変換処理の対象となるデータ長や変換処理を行う制御部の能力に依存するものであり、具体的には第２の端末３宛ての第１の通信権貸与データ１４（一回目）のデータ伝送時間、第２の端末３が実施する第２の端末３宛ての第１の通信権貸与データ１４（一回目）の解析処理時間、第１の端末２が実施する第２の要求データ９の生成処理時間、第１の通信権貸与データ１４（一回目）の受信完了を示すデータがある場合は該当データの生成処理時間、データ伝送時間および解析時間のそれぞれが最長となる条件での換算される時間の和に応じた時間として算出される。
【００３１】
第２の端末３は、ここでは図示していない制御部の所定の処理により第１のネットワークＡ（６）に存在する第１の端末２から得た第２の要求データ９に応じた第２のネットワークＢ（７）に存在する第３の端末４宛ての第３の要求データ１０を生成する。
【００３２】
第２の端末３は、第１の端末２から第２の要求データ９を受信してから所定の時間Ｔ１３３以内に第３の要求データ１０を第３の送信部１９を介して第３の端末４宛に送信する。第３の端末４は、第４の受信部２６を介して第２の端末３が送信した第３の要求データ１０を受信する。
【００３３】
ここで所定の時間Ｔ１３３について説明する。時間Ｔ１３３は第１の端末２が第２の要求データ９を送信して以降に、第２の端末３が受信した第２の要求データ９から第３の要求データ１０を生成し、第２のネットワークＢ（７）に存在する第３の端末４宛ての第３の要求データ１０を送信するまでの時間である。時間Ｔ１３３は変換処理の対象となるデータ長や変換処理を行う制御部の能力に依存するものであり、具体的には第２の要求データ９のデータ伝送時間、第２の端末３が実施する第２の要求データ９の解析処理時間および第３の要求データ１０の生成処理時間のそれぞれが最長となる条件での換算される時間の和に応じた時間として算出される。第２の要求データ９に相当するデータ長が複数ある場合、第１の判定部２８はデータ長の種類ごとに時間Ｔ１３３を決定しても良いし、複数あるデータ長を処理する時間のなかで最大時間を時間Ｔ１３３としてもよい。ここでは図示しない第３の要求データ１０の送信準備完了を示すデータを第１の端末２に送信し、第２のネットワークＢ（７）に存在する第３の端末４宛ての第３の要求データ１０を送信することを第１の端末２に伝達してもよい。ここでは、第１の判定部２８が時間Ｔ１３３を決定するとして説明したが、第１の端末２が具備する演算部（図示せず）が決定してもよい。この場合、演算部（図示せず）が出力する時間Ｔ１３３に相当する信号を第１の判定部２８が受信してもよい。
【００３４】
以下、説明のため第２のネットワークＢ（７）はキャリアセンス方式で通信を行い、第２の端末３が第３の端末４へ第３の要求データ１０を送信して以降に、第３の要求データ１０に応じた第１の応答データ１１を受信し、第１の応答データ１１に応じた第２の応答データ１２を生成し、第１の端末２に送信される第２の応答データ１２の送信準備が完了するまでの時間の最大を時間Ｔ２３４と規定しているとする。つまり、第３の要求データ１０を送信してから時間Ｔ２３４以内に第３の端末４から第３の要求データに応じた第１の応答データ１１の受信が無く、第１の応答データ１１に応じた第２の応答データ１２の送信準備が完了できない場合には、第２の端末３は異常と判定し、所定の異常処理を実施する。また、時間Ｔ２３４以内に第１の応答データ１１に応じた第２の応答データ１２の送信準備を完了できるのであれば、第２の端末３は所定の回数の第３の要求データ１０の再送信を実施しても構わない。
【００３５】
ここで所定の時間Ｔ２３４について説明する。時間Ｔ２３４は第２の端末３が第３の端末４へ第３の要求データ１０を送信して以降に、第３の要求データ１０に応じた第１の応答データ１１を受信し、第１の応答データ１１に応じた第２の応答データ１２を生成し、第１の端末２に送信される第２の応答データ１２の送信準備が完了するまでの最大時間に応じた時間である。時間Ｔ２３４は、変換処理の対象となるデータ長や変換処理を行う制御部の能力に依存するものであり、具体的には第３の要求データ１０および第１の応答データ１１のデータ伝送時間、第２の端末３が実施する第１の応答データ１１の解析処理時間、第３の端末４が実施する第３の要求データ１０の解析処理時間および第１の応答データ１１の生成処理時間のそれぞれが最長となる条件での換算される時間の和に応じた時間として算出される。
【００３６】
第３の端末４は、ここでは図示していない制御部の所定の処理により第２のネットワークＢ（７）に存在する第２の端末３から得た第３の要求データ１０に応じた応答処理を実施し、第２の端末３から得た第３の要求データ１０に応じた第３のネットワークＣ（５）に存在する第４の端末１宛ての第１の応答データ１１を生成する。
【００３７】
第３の端末４は、第１の応答データ１１を第４の送信部２０を介して第２の端末３へ送信する。第２の端末３は、第３の要求データ１０を第３の端末４へ送信してからＴ２３４以内に第３の受信部２５を介して第３の端末４が送信した第１の応答データ１１を受信し、第１の応答データ１１に応じた第２の応答データ１２を生成し、第１の端末２に送信される第２の応答データ１２の送信準備が完了する。第２の端末３は、ここでは図示しない受信完了などを示すＡＣＫデータを第３の端末４に送信し、第３のネットワークＣ（５）に存在する第４の端末１宛ての第１の応答データ１１を受信したことを第３の端末４に伝達してもよい。
【００３８】
第２の端末３は、ここでは図示していない制御部の所定の処理により第２のネットワークＢ（７）に存在する第３の端末４から得た第１の応答データ１１に応じた第３のネットワークＣ（５）に存在する第４の端末１宛ての第２の応答データ１２を生成する。
【００３９】
第１の判定部２８は時間計測信号３０がＯＦＦからＯＮに変化してから、第２の端末３が第２の応答データ１２を送信可能となる時間ＴＢ３６を経過したことに基いて、予め定められた第１の長さの期間の通信権を第１のネットワークＡ（６）上に存在する第２の端末３に貸与するための第２の端末３宛ての第１の通信権貸与データ３１（二回目）の送信指示信号５３を第１の送信部１６へ出力する。図２は、第１の判定部２８が第１の送信部１６へ第２の端末３宛ての第１の通信権貸与データ１４（一回目）の送信指示信号５３の出力を行う時間を決定し、第２の端末３宛ての第１の通信権貸与データ１４（一回目）の送信指示信号５３を第１の送信部１６へ出力する時間から時間計測を開始し、時間計測信号３０がＯＦＦからＯＮに変化してから、第２の端末３が第２の応答データ１２を送信可能となる時間ＴＢ３６を経過し時間計測信号３０がＯＮからＯＦＦに変化した時に、第１の判定部２８が第２の端末３宛ての第１の通信権貸与データ３１（二回目）の送信指示信号５３を第１の送信部１６へ出力する事を示している。第２の端末３は、第１の送信部１６から送信された第２の端末３宛ての第１の通信権貸与データ３１（二回目）を第２の受信部２４を介して受信し、第１のネットワークＡ（６）の通信権を獲得し、引き続き第２の送信部１８を介して第１の端末２へ第２の応答データ１２を送信する。第１の端末２は、ここでは図示しない受信完了を示すデータを第２の端末３に送信し、第３のネットワークＣ（５）に存在する第４の端末１宛ての第２の応答データ１２を受信したことを第２の端末３に伝達してもよい。また、第２の端末３は、ここでは図示しない受信完了を示すデータを第１の端末２に送信し、第２の端末３宛ての第１の通信権貸与データ３１（二回目）を受信したことを第１の端末２に伝達してもよい。
【００４０】
図３に第１の端末２が第１のデータ２９を受信後の第１の端末２内の第１の判定部２８の処理について説明する。第１の端末２が具備する第１の判定部２８は、Ｓ４１にて第５の受信部２１を介して受信した第３のネットワークＣ（５）内の第１のデータ２９が、第２のネットワークＢ（７）に存在する第３の端末４宛てのデータであるとともに第４の端末１への返信を要求する第１の要求データ８であるか否かを判定する。第１のデータ２９が第１の要求データ８であると判定した場合、第１の送信部１６へ第２の端末３宛ての第１の通信権貸与データ１４（一回目）の送信指示信号５３の出力を行う時間を決定し、その決定された時間に応じたタイミングでＳ４２に移行し、第１の端末２の第１の送信部１６へ第２の端末３宛ての第１の通信権貸与データ１４（一回目）を送信するための送信指示信号５３を出力する。引き続きＳ４３にて時間計測を開始する。説明のため、計測された計測時間をＴとする。Ｓ４４に移行し、計測時間Ｔが第２の端末３が第２の応答データ１２を送信可能となる時間ＴＢ３６に達したか否かを判定する。計測時間ＴがＴＢ３６に達していない場合、再びＳ４４に移行し、以下、同様の動作を繰り返す。計測時間ＴがＴＢ３６に達した場合、Ｓ４５に移行して、第１の端末２の第１の送信部１６へ第２の端末３宛ての第１の通信権貸与データ３１（二回目）を送信するための送信指示信号５３を出力する。
【００４１】
第２の端末３が第２の応答データ１２を送信可能となる所定の時間ＴＢ３６は、時間Ｔ０３２、時間Ｔ１３３および時間Ｔ２３４の和に対応した時間である。また、時間Ｔ０３２、時間Ｔ１３３および時間Ｔ２３４は、ともにシステム設計する際に規定される値である。従って、それぞれの時間を予め決定することが可能である。以下では、第２の端末３が第２の応答データ１２を送信可能となる所定の時間ＴＢ３６を与える時間Ｔ０３２、時間Ｔ１３３および時間Ｔ２３４について図４を用いて説明する。
【００４２】
第４の端末１から送信される第１の要求データ８を受信した第１の端末２は、予め定められた第１の長さの期間の通信権を第１のネットワークＡ（６）上に存在する第２の端末３へ貸与するための第２の端末３宛ての第１の通信権貸与データ１４（一回目）の送信指示信号５３を出力する（Ｓ６１）時間を起点として、時間Ｔ０３２経過した後に、第２の端末３へ第２の要求データ９を送信する（Ｓ６２）。第２の端末３は第２の要求データ９を受信し（Ｓ６３）、第２の要求データ９に応じた第３の要求データ１０を生成し（Ｓ６４）、第１の端末２の送信する第２の要求データ９の送信する（Ｓ６２）時間を起点として、時間Ｔ１３３後に第３の要求データ１０を送信する（Ｓ６５）。時間Ｔ１３３は第１の端末２が第２の要求データ９を送信して以降、第２の端末３が受信した第２の要求データ９から第３の要求データ１０を生成し（Ｓ６４）、第２のネットワークＢ（７）に存在する第３の端末４宛ての第３の要求データ１０を送信する（Ｓ６５）までの時間に応じた時間とし、予め決定される時間である。
【００４３】
第３の端末４は第２の端末３から送信される第３の要求データ１０を受信し（Ｓ６６）、第４の端末１宛ての第１の応答データ１１を生成し（Ｓ６７）、第１の応答データ１１を第２の端末３へ送信する（Ｓ６８）。第２の端末３は第３の端末４から送信される第１の応答データ１１を受信し（Ｓ６９）、第２の応答データ１２を生成し（Ｓ７０）、第２の応答データ１２を第１の端末２へ送信準備完了する（Ｓ７１）。Ｓ６５にて計測を開始した時間がＴ２を経過する前に、第２の端末３が第２の応答データ１２の第１の端末２への送信準備が完了しているか否かを判定し（Ｓ７２）、判定の結果、第２の応答データ１２の第１の端末２への送信準備が完了していなければ、異常処理（Ｓ７３）へ進む。判定の結果、第２の応答データ１２の第１の端末２への送信準備が完了し、さらに、時間Ｔ２を経過した時に、第１の判定部２８が第２の端末３宛ての第１の通信権貸与データ３１（二回目）の送信指示信号５３を出力する（Ｓ７４）場合は、第２の端末３は第１の通信権貸与データ３１（二回目）の受信（Ｓ７５）へ遷移する。すなわち、時間Ｔ２３４は、第２の端末３の実施する第３の要求データ１０を送信Ｓ６５する時間を起点として、第２の応答データ１２の送信準備の完了を判定するＳ７２までの時間である。
【００４４】
このように、時間Ｔ０３２、時間Ｔ１３３および時間Ｔ２３４それぞれは、システム設計する際に規定される値であり、時間Ｔ０３２、時間Ｔ１３３および時間Ｔ２３４の和に対応した時間である第２の端末３が第２の応答データ１２を送信可能となる所定の時間ＴＢ３６予め決定することが可能である。
【００４５】
第１の端末２は、ここでは図示していない制御部の所定の処理により第１のネットワークＡ（６）に存在する第２の端末３から得た第２の応答データ１２に応じた第３のネットワークＣ（５）に存在する第４の端末１宛ての第３の応答データ１３を生成する。
【００４６】
第１の端末２は第５の送信部１５を介して第３の応答データ１３を第４の端末１へ送信する。第４の端末１は第６の受信部２３を介して第１の端末２が送信した第３の応答データ１３を受信する。
【００４７】
第１の端末２は、第１の判定部２８が時間計測を開始した以降の計測時間に基いて、第２の端末３へ第１の通信権貸与データ３１（二回目）を送信するので、第２の端末３は第１の端末２へ第２の応答データ１２を送信することができる。よって、第１の端末２は通信待ち時間を低減しデータを入手することが可能となる。従って、通信時間の短縮が可能なネットワークを提供することが可能となる。
【００４８】
なお、本実施形態１では、第１の要求データ８が第４の端末１から送信され第５の受信部２１を介して受信されるものとして説明したが、これに限るものではない。例えば、第１の端末２内の演算部（図示せず）が自ら命令を生成して第１の端末２への返信を要求する第１の要求データ８を生成しても良い。この場合、第５の受信部２１を介して受信されることはなく、第１の端末２内の演算部（図示せず）が自ら命令を生成した第１の要求データ８を第１の判定部２８が判定することになる。あるいは、第１のネットワークＡ（６）内の端末から自らに対応する端末への返信を要求する第１の要求データ８が送信されても良い。この場合、第１のネットワークＡ（６）内の端末から送信された第１の要求データ８を第１の受信部２２を介して受信され、第１の判定部２８が判定することになる。このように、第１の判定部２８は、第１の端末２が受信および命令を生成する第１のデータ２９の種類を判定し、第１の送信部１６へ第２の端末３宛ての第１の通信権貸与データ１４（一回目）の送信指示信号５３の出力を行う時間を決定し、第１のデータ２９の種類の判定結果に応じて、第１の送信部１６へ第２の端末３宛ての第１の通信権貸与データ１４（一回目）の送信指示信号５３を出力することが可能である。なお、第１の応答データ１１が第１の端末２宛ての場合は、第３の応答データ１３が送信されることはない。また、第３の応答データ１３が生成された場合は、第１の端末２は第３の応答データ１３に対応する端末へ第３の応答データ１３を送信する。この際、第１の端末２は通信待ち時間を低減し第２の応答データ１２を入手することが可能となっているので、第３の応答データ１３を送信開始する時間を短縮することが可能となっている。
【００４９】
なお、本実施形態１では、第１の要求データ８の要求元が第１の端末２自身である場合や第１の要求データ８の要求元が第１のネットワークＡ（６）内の端末である場合は、第１の要求データの要求元が第３のネットワークＣ（５）に存在する第４の端末１であるとする説明を第１のネットワークＡ（６）内の対応する端末に読み替えればよい。
【００５０】
ここで第２の端末３が第２の応答データ１２を送信可能となる時間ＴＢ３６を経過し、第１の判定部２８が第２の端末３宛ての第１の通信権貸与データ３１（二回目）の送信指示信号５３を第１の送信部１６へ出力して以降の動作について説明する。
【００５１】
第２の端末３が第２の応答データ１２を送信可能となる時間ＴＢ３６を経過し、第１の判定部２８が第２の端末３宛ての第１の通信権貸与データ３１（二回目）の送信指示信号５３を第１の送信部１６へ出力して以降、第１の通信権貸与データ３１（二回目）の送信指示信号５３を第１の送信部１６へ出力した時間から時間計測を開始して予め定められた送信間隔Ｓ経過後に、第１の通信権貸与データ（三回目）の送信指示信号５３を第１の送信部１６へ出力しても良い。あるいは、第２の端末３宛ての第１の通信権貸与データ１４（一回目）の送信指示信号５３を第１の送信部１６へ出力する時間から時間計測を開始し、（ｎ＋１）・Ｓを経過したタイミングで第１の通信権貸与データ（三回目）の送信指示信号５３を第１の送信部１６へ出力しても良い。
【００５２】
あるいは、第１の通信権貸与データ３１（二回目）の送信指示信号５３を第１の送信部１６へ出力する時間と第１の通信権貸与データ３１（二回目）が貸与する通信可能な第１の長さの期間を足した時間が（ｎ＋１）・Ｓを超える場合は、第１の通信権貸与データ３１（二回目）の送信指示信号５３を第１の送信部１６へ出力する時間と第１の通信権貸与データ３１（二回目）が貸与する通信可能な第１の長さの期間を足した時間のタイミングで第１の通信権貸与データ（三回目）の送信指示信号５３を第１の送信部１６へ出力しても良い。
【００５３】
あるいは、第２の端末３宛ての第１の通信権貸与データ１４（一回目）の送信指示信号５３を第１の送信部１６へ出力する時間から時間計測を開始し、（ｎ＋２）・Ｓを経過したタイミングで第１の通信権貸与データ（三回目）の送信指示信号５３を第１の送信部１６へ出力しても良い。
【００５４】
このように、第１の通信権貸与データ（三回目）の送信指示信号５３の第１の送信部１６へ出力するタイミングは変更可能であり、以降は予め定められた送信期間Ｓに応じて第１の通信権貸与データ（四回目以降）の送信指示信号５３の第１の送信部１６へ出力するタイミングが決定される。無論、第１の通信権貸与データ（三回目）の送信指示信号５３に応じて第２の要求データ９を送信する場合、すなわち、第１の要求データ８に応じた第２の要求データ９が生成された場合、変更された送信指示間隔Ｓの起点となる時間となるまでの期間、第１の端末２は第２の端末３に第１の通信権貸与データ（三回目）の送信指示信号５３を出力することはない。なお、第１の通信権貸与データ（三回目）の送信指示信号５３の第１の送信部１６へ出力するタイミングは、第１のネットワークＡ（６）、第２のネットワークＢ（７）、第３のネットワークＣ（５）を管理する上位システム（図示せず）が決定してもよく、第１の端末２内の第１の判定部２８が決定してもよい。
【００５５】
次に実施形態２の通信システムの構成について図５の概略図を用いて説明する。実施形態１と異なるのは以下の構成であるので、実施形態１と同等な構成についての説明は割愛する。
【００５６】
第２の端末３は、予め定められた第２の長さの期間の通信権を第２のネットワークＢ（７）上に存在する第３の端末４に貸与するための第３の端末４宛ての第２の通信権貸与データ５１（一回目）および第３の端末４宛ての第２の通信権貸与データ５２（二回目）を第３の送信部１９を介して送信し、第３の端末４へ第２のネットワークＢ（７）内に適用可能な通信権を貸与する。ここで、予め定められた第２の長さは第２のネットワークＢ（７）内の端末数、端末の優先順位などからの要請から決定されるものであり、予め決定されている。また、端末毎に第２の長さは異なっていてもよい。第２の端末３から送信された第３の端末４宛ての第２の通信権貸与データ５１（一回目）および第２の端末３宛ての第１の通信権貸与データ５２（二回目）を第４の受信部２６を介して受信した第３の端末４は、予め定められた第２の長さの期間である一定期間の第２のネットワークＢ（７）内に適用可能な通信権を取得し、第４の受信部２６および第４の送信部２０を介して通信が可能となる。このように第２の端末３は第２のネットワークＢ（７）の通信権を貸与せずとも通信が可能な第２のネットワークＢ（７）のマスタとして機能し、第３の端末４は第２のネットワークＢ（７）のマスタより通信権を貸与されて初めて通信可能となる第２のネットワークＢ（７）のスレーブとして動作する。また、第２の端末３は第２の受信部２４が受信する第１のネットワークＡ（６）の端末から送信される第２のデータの種類（図示せず）を判定し、第２のデータ（図示せず）の種類の判定結果に応じて、第３の送信部１９へ第３の端末４宛ての第２の通信権貸与データ５１（一回目）の送信指示信号５５を出力する第２の判定部５４を備える。
【００５７】
次に実施形態２の通信システムの動作について図６のタイムチャート図を用いて説明する。実施形態１と異なるのは以下の動作であるので、実施形態１と同等な動作についての説明は割愛する。
【００５８】
第１の判定部２８が第１の送信部１６へ第２の端末３宛ての第１の通信権貸与データ１４（一回目）の送信指示信号５３の出力を行う時間を決定し、第２の端末３宛ての第１の通信権貸与データ１４（一回目）の送信指示信号５３を出力してから所定の時間Ｔ４３８後に第２の判定部５４が第３の端末４宛ての第２の通信権貸与データ５１（一回目）の送信指示信号５５を出力する。引き続き、第３の要求データ１０を第３の送信部１９を介して第３の端末４宛に送信する。第３の端末４は、第４の受信部２６を介して第２の端末３が送信した第３の要求データ１０を受信する。また、ここでは第２の通信権貸与データ５１（一回目）とそれに引き続き送信される第３の要求データ１０を異なるデータの塊として説明したが、第２の通信権貸与データ５１（一回目）と第３の要求データ１０を同じデータの塊として送信しても構わない。
【００５９】
ここで所定の時間Ｔ４３８について説明する。時間Ｔ４３８は第１の判定部２８が第１の送信部１６へ第２の端末３宛ての第１の通信権貸与データ１４（一回目）の送信指示信号５３の出力を行う時間を決定し、第２の端末３宛ての第１の通信権貸与データ１４（一回目）の送信指示信号５３を出力して以降、第１の端末２が第２の要求データ９を送信し、第２の端末３内の第２の判定部５４が第２の受信部２４が受信した第２のデータ（図示せず）が第２の要求データ９であることを判定し、第２の端末３が受信した第２の要求データ９から第３の要求データ１０を生成し、予め定められた第２の長さの期間の通信権を第２のネットワークＢ（７）上に存在する第３の端末４に貸与するための第３の端末４宛ての第２の通信権貸与データ５１（一回目）を送信するために、第２の判定部５４が第３の端末４宛ての第２の通信権貸与データ５１（一回目）の送信指示信号５５を出力するまでの時間である。時間Ｔ４３８は変換処理の対象となるデータ長や変換処理を行う制御部の能力に依存するものであり、具体的には第２の端末３宛ての第１の通信権貸与データ１４（一回目）および第２の要求データ９の伝送時間、第２の端末３宛ての第１の通信権貸与データ１４（一回目）および第２の要求データ９の受信データの解析処理時間、第２の端末３による第３の端末４宛ての第２の通信権貸与データ５１（一回目）および第２の要求データ９の送信データの生成処理時間などそれぞれが最長となる条件での換算される時間の和に応じた時間として算出される。
【００６０】
第１の判定部２８は時間計測信号３０がＯＦＦからＯＮに変化してから、以下の式であたえられる第２の端末３が第２の応答データ１２を送信可能となる時間ＴＢ３６を経過したことに基いて、予め定められた第１の長さの期間の通信権を第１のネットワークＡ（６）上に存在する第２の端末３に貸与するための第２の端末３宛ての第１の通信権貸与データ３１（二回目）の送信指示信号５３を第１の送信部１６へ出力する。図６は、第１の判定部２８が第１の送信部１６へ第２の端末３宛ての第１の通信権貸与データ１４（一回目）の送信指示信号５３の出力を行う時間を決定し、第２の端末３宛ての第１の通信権貸与データ１４（一回目）の送信指示信号５３を第１の送信部１６へ出力する時間から時間計測を開始し、時間計測信号３０がＯＦＦからＯＮに変化してから、第２の端末３が第２の応答データ１２を送信可能となる時間ＴＢ３６を経過し時間計測信号３０がＯＮからＯＦＦに変化した時に、第１の判定部２８が第２の端末３宛ての第１の通信権貸与データ３１（二回目）の送信指示信号５３を第１の送信部１６へ出力する事を示している。第２の端末３は、第１の送信部１６から送信された第２の端末３宛ての第１の通信権貸与データ３１（二回目）を第２の受信部２４を介して受信し、第１のネットワークＡ（６）の通信権を獲得し、引き続き第２の送信部１８を介して第１の端末２へ第２の応答データ１２を送信する。第１の端末２は、ここでは図示しない受信完了を示すデータを第２の端末３に送信し、第３のネットワークＣ（５）に存在する第４の端末１宛ての第２の応答データ１２を受信したことを第２の端末３に伝達してもよい。また、第２の端末３は、ここでは図示しない受信完了を示すデータを第１の端末２に送信し、第２の端末３宛ての第１の通信権貸与データ３１（二回目）を受信したことを第１の端末２に伝達してもよい。
式：  ＴＢ  ＝  Ｔ４  ＋  ＴＣ  ＋  Ｔ５
【００６１】
第２の端末３が第２の応答データ１２を送信可能となる所定の時間ＴＢ３６は、時間Ｔ４３８、時間ＴＣ３９および時間Ｔ５４０の和に対応した時間である。また、時間Ｔ４３８、時間ＴＣ３９および時間Ｔ５４０は、ともにシステム設計する際に規定される値である。従って、それぞれの時間を予め決定することが可能である。以下では、第２の端末３が第２の応答データ１２を送信可能となる所定の時間ＴＢ３６を与える時間Ｔ４３８、時間ＴＣ３９および時間Ｔ５４０について図７を用いて説明する。
【００６２】
第４の端末１から送信される第１の要求データ８を受信した第１の端末２内の第１の判定部２８は、第１の送信部１６へ第２の端末３宛ての第１の通信権貸与データ１４（一回目）の送信指示信号５３の出力を行う時間を決定し、予め定められた第１の長さの期間の通信権を第１のネットワークＡ（６）上に存在する第２の端末３へ貸与するための第２の端末３宛ての第１の通信権貸与データ１４（一回目）の送信指示信号５３を出力する（Ｓ８１）。引き続き、第１の端末２は第２の要求データ９を送信する（Ｓ８２）。第２の端末３は第２の要求データ９を受信し（Ｓ８３）、第２の要求データ９に応じた第３の要求データ１０を生成する（Ｓ８４）。第２の端末３宛ての第１の通信権貸与データ１４（一回目）を送信する（Ｓ８１）時間を起点として、時間Ｔ４３８経過した後に、第２の端末３内の第２の判定部５４は第３の端末４宛ての第２の通信権貸与データ５１（一回目）の送信指示信号５５を出力する（Ｓ８５）。引き続き、第２の端末３は第３の要求データ１０を送信する（Ｓ８６）。このように、時間Ｔ４３８の期間中に実施されるデータ処理として、第１の端末２が第２の要求データ９を送信するデータ処理（Ｓ８２）および第２の端末３が受信した第２の要求データ９から第３の要求データ１０を生成するデータ処理（Ｓ８４）があり、時間Ｔ４３８はデータ処理の対象となるデータ長や変換処理を行う制御部の能力に依存するものである。また、第２の端末３内の第２の判定部５４は、第２の要求データ９を受信した（Ｓ８３）時間および第１の通信権貸与データ１４（第一回目）を受信した（図示せず）時間に応じて、第３の端末４宛ての第２の通信権貸与データ５１（一回目）の送信指示信号５５を出力する時間を決定しても構わない。また、第１の通信権貸与データ１４（第一回目）を受信した（図示せず）時間を起点として、時間Ｔ４３８より前に、第２の判定部５４が第３の端末４宛ての第２の通信権貸与データ５１（一回目）の送信指示信号５５を出力するように第２の判定部５４が設定されてもよい。予めこのように第２の判定部５４が設定されることで、第１の判定部２８は所定の時間ＴＢ３６を決定できる。
【００６３】
第３の端末４は第２の端末３から送信される第３の要求データ１０を受信し（Ｓ８７）、第４の端末１宛ての第１の応答データ１１を生成し（Ｓ８８）、第１の応答データ１１を第２の端末３へ送信準備を完了する（Ｓ８９）。第２の判定部５４は、第３の端末４宛ての第２の通信権貸与データ５１（一回目）の送信指示信号５５を出力する（Ｓ８５）時間を起点として、時間ＴＣ３９経過した後に、第３の端末４宛ての第２の通信権貸与データ５２（二回目）の送信指示信号５５を出力する（Ｓ９０）。引き続きいて、第３の端末４から送信される第１の応答データ１１を受信し（Ｓ９２）、第２の応答データ１２を生成し（Ｓ９３）、第２の応答データ１２の第１の端末２へ送信準備完了する（Ｓ９４）。Ｓ９０にて計測を開始した時間がＴ５を経過する前に、第２の端末３が第２の応答データ１２の第１の端末２への送信準備が完了しているか否かを判定し（Ｓ９５）、判定の結果、第２の応答データ１２の第１の端末２への送信準備が完了していなければ、異常処理（Ｓ９６）へ進む。判定の結果、第２の応答データ１２の第１の端末２への送信準備が完了し、さらに、時間Ｔ５を経過した時に、第１の判定部２８が第２の端末３宛ての第１の通信権貸与データ３１（二回目）の送信指示信号５３を出力する（Ｓ９７）場合は、第２の端末３は第１の通信権貸与データ３１（一回目）の受信（Ｓ９８）へ遷移する。すなわち、時間Ｔ５４０は、第２の判定部５４が第３の端末４宛ての第２の通信権貸与データ５２（二回目）の送信指示信号５５を出力する（Ｓ９０）時間を起点として、第２の応答データ１２の送信準備の完了を判定するＳ９５までの時間である。
【００６４】
第３の端末４は、ここでは図示していない制御部の所定の処理により第２のネットワークＢ（７）に存在する第２の端末３から得た第３の要求データ１０に応じた応答処理を実施し、第２の端末３から得た第３の要求データ１０に応じた第３のネットワークＣ（５）に存在する第４の端末１宛ての第１の応答データ１１を生成する。
【００６５】
時間Ｔｃ３９は、第３の端末４が実施する第３の要求データ１０に応じた応答処理に要する時間と第２の端末３から得た第３の要求データ１０に応じた第３のネットワークＣ（５）に存在する第４の端末１宛ての第１の応答データ１１の生成処理に要する時間の和に比べ十分に大きい値とすればよく、第３の端末４は第３の端末４宛ての第２の通信権貸与データ５２（二回目）の受信時に第１の応答データ１１の送信準備を完了している。
【００６６】
ここで所定の時間ＴＣ３９について説明する。所定の時間ＴＣ３９とは、第２のネットワークＢ（７）内に存在する端末数、端末の優先順位などからの要請から決定される第２の端末３の第３の送信部１９が送信可能な間隔に相当する。無論、所定の時間ＴＣ３９と第２の通信権貸与データ５１（一回目）の通信可能な第２の長さの期間とを比較すると、第２の長さの期間の方が時間は短く設定されている。なお、第１のネットワークＡ（６）、第２のネットワークＢ（７）、第３のネットワークＣ（５）を管理する上位システム（図示せず）が所定の時間ＴＣ３９を決定してもよく、第２の端末３内の第２の判定部５４が決定してもよい。時間ＴＣ３９は、第２のネットワークＢ（７）に存在する第３の端末４が通信権を取得しネットワークを使用する比率に応じで予め決定しても良い。
【００６７】
ここで所定の時間Ｔ５４０について説明する。時間Ｔ５４０は第２の判定部５４が第３の端末４宛ての第２の通信権貸与データ５２（二回目）の送信指示信号５５を出力して以降、第２の端末３が第３の端末４から受信した第１の応答データ１１に応じた第２の応答データ１２を生成し、第１の端末２へ送信準備を完了するまでに要する時間とし、予め決定しておく。時間Ｔ５４０は変換処理の対象となるデータ長や変換処理を行う制御部の能力に依存するものであり、第１の応答データ１１に相当するデータ長が複数ある場合、データ長の種類ごとに時間Ｔ５４０を決定しても良いし、複数あるデータ長の最大時間を時間Ｔ５４０としてもよい。
【００６８】
第１の端末２は、ここでは図示していない制御部の所定の処理により第１のネットワークＡ（６）に存在する第２の端末３から得た第２の応答データ１２に応じた第３のネットワークＣ（５）に存在する第４の端末１宛ての第３の応答データ１３を生成する。
【００６９】
第１の端末２は第５の送信部１５を介して第３の応答データ１３を第４の端末１へ送信する。第４の端末１は第６の受信部２３を介して第１の端末２が送信した第３の応答データ１３を受信する。
【００７０】
第１の端末２は、第１の判定部２８が第１の送信部１６へ第２の端末３宛ての第１の通信権貸与データ１４（一回目）の送信指示信号５３の出力を行う時間を決定し、時間計測を開始した以降の計測時間に基いて、第２の端末３へ第１の通信権貸与データ３１（二回目）を送信するので、第２の端末３は第１の端末２へ第２の応答データ１２を送信することができる。よって、第１の端末２は通信待ち時間を低減しデータを入手することが可能となる。従って、通信時間の短縮が可能なネットワークを提供することが可能となる。
【００７１】
なお、本実施形態２では、第１の要求データ８が第４の端末１から送信され第５の受信部２１を介して受信されるものとして説明したが、これに限るものではない。例えば、第１の端末２内の演算部（図示せず）が自ら命令を生成して第１の端末２への返信を要求する第１の要求データ８を生成しても良い。この場合、第５の受信部２１を介して受信されることはなく、第１の端末２内の演算部（図示せず）が自ら命令を生成した第１の要求データ８を第１の判定部２８が判定することになる。あるいは、第１のネットワークＡ（６）内の端末から自らに対応する端末への返信を要求する第１の要求データ８が送信されても良い。この場合、第１のネットワークＡ（６）内の端末から送信された第１の要求データ８は、第１の受信部２２を介して受信され、第１の判定部２８が判定することになる。このように、第１の判定部２８は、第１の端末２が受信および命令を生成する第１のデータ２９の種類を判定し、第１の送信部１６へ第２の端末３宛ての第１の通信権貸与データ１４（一回目）の送信指示信号５３の出力を行う時間を決定し、第１のデータ２９の種類の判定結果に応じて、第１の送信部１６へ第２の端末３宛ての第１の通信権貸与データ１４（一回目）の送信指示信号５３を出力することが可能である。なお、第１の応答データ１１が第１の端末２宛ての場合は、第３の応答データ１３が送信されることはない。また、第３の応答データ１３が生成された場合は、第１の端末２は第３の応答データ１３に対応する端末へ第３の応答データ１３を送信する。この際、第１の端末２は通信待ち時間を低減し２の応答データ１２を入手することが可能となっているので、第３の応答データ１３を送信開始する時間を短縮することが可能となっている。
【００７２】
次に実施形態３の通信システム３５の構成について図８の概略図を用いて説明する。実施形態１または実施形態２と異なるのは以下の構成であるので、実施形態１または実施形態２と同等な構成についての説明は割愛する。
【００７３】
図示するように本実施形態３は、第１のネットワークＡ（６）には、第１の端末２と第２の端末３および第５の端末５６が含まれている。第１の端末２は、予め定められた第１の長さの期間の通信権を、第１のネットワークＡ（６）上に存在する第２の端末３へ貸与するための第２の端末３宛ての第１の通信権貸与データ１４（一回目）および第２の端末３宛ての第１の通信権貸与データ３１（二回目）および第５の端末５６へ貸与するための第５の端末５６宛ての第１の通信権貸与データ５８を第１の送信部１６を介して送信し、第２の端末３および第５の端末５６へ第１のネットワークＡ（６）内に適用可能な通信権を貸与する。ここで、予め定められた第１の長さは第１のネットワークＡ（６）内の端末数、端末の優先順位などからの要請から決定されるものであり、予め決定されている。また、端末毎に第１の長さは異なっていてもよい。ここで、第２の端末３へ貸与するための第２の端末３宛ての第１の通信権貸与データ（１４、３１）には、第２の端末３に対応するデータが書き込まれており、第５の端末５６へ貸与するための第５の端末５６宛ての第１の通信権貸与データ５８には、第５の端末５６に対応するデータが書き込まれている。
【００７４】
ここで第５の端末５６は、第１の判定部２８が第１の送信部１６へ第２の端末３宛ての第１の通信権貸与データ１４（一回目）の送信指示信号５３の出力を行う時間を決定し、第２の端末３宛ての第１の通信権貸与データ１４（二回目）の送信指示信号５３を第１の送信部１６へ出力する前に、第２の端末３宛ての第１の通信権貸与データ１４（一回目）の送信指示信号５３の出力から第２の端末３が第２の応答データ１２を送信可能となる所定の時間ＴＢ３６を経過した時に第１の判定部２８が出力予定の送信指示信号５３に対応する第１の通信権貸与データ（ここでは図示せず）の宛先の端末である。言い換えれば、第４の端末１から送信された第１のデータ２９が第１の要求データ８ではない時、第１の判定部２８は、第１の送信部１６へ第２の端末３宛ての第１の通信権貸与データ１４（一回目）の送信指示信号５３の出力を行う時間を決定し、第２の端末３宛ての第１の通信権貸与データ１４（一回目）の送信指示信号５３の出力から所定の時間ＴＢ３６を経過した時に第５の端末５６宛に第１の通信権貸与データ５８の送信指示信号５３を送信部１６へ出力する。
【００７５】
次に実施形態３の通信システムの動作について図９のタイムチャート図を用いて説明する。実施形態１または実施形態２と異なるのは以下の動作であるので、実施形態１または実施形態２と同等な動作についての説明は割愛する。
【００７６】
第１の判定部２８が第１の送信部１６へ第２の端末３宛ての第１の通信権貸与データ１４（一回目）の送信指示信号５３の出力を行う時間を決定し、第２の端末３宛ての第１の通信権貸与データ１４（一回目）の送信指示信号５３を出力してから所定の時間Ｔ６５７後に第１の判定部２８が第５の端末５６宛ての第１の通信権貸与データ５８の送信指示信号５３を出力する。なお、実施形態１、２と同様に、第１の時間計測信号（図示せず）がＯＦＦからＯＮに変化し、時間計測が開始したことを示しているものとして以下に説明する。
【００７７】
ここで所定の時間Ｔ６５７について説明する。時間Ｔ６５７は、第１の判定部２８が第１の送信部１６へ第２の端末３宛ての第１の通信権貸与データ１４（一回目）の送信指示信号５３の出力を行う時間を決定し、第２の端末３宛ての第１の通信権貸与データ１４（二回目）の送信指示信号５３を第１の送信部１６へ出力する前に、第１の判定部２８が第１の通信権貸与データ（ここでは図示せず）の送信指示信号（ここでは図示せず）を出力するために予め定められていた時間である。ここで、所定の時間Ｔ６５７は、第１の通信権貸与データ１４（一回目）の第２の端末３宛ての予め定められた送信指示間隔Ｓを用いて、
Ｔ６  ＝  ｎ・Ｓ  （但し、ｎは０以上の整数）
と表すことができる。図９は、第２の端末３宛ての第１の通信権貸与データ１４（一回目）の送信指示信号５３の出力から第２の端末３が第２の応答データ１２を送信可能となる所定の時間ＴＢ３６を経過した時に第２の端末３宛ての第１の通信権貸与データ３１（二回目）の送信指示信号５３を出力するため、時間Ｔ６５７にて第２の端末３宛ての第１の通信権貸与データ（ここでは図示せず）の送信指示信号（ここでは図示せず）の出力を取りやめた事が示されている。これに代わり、第１の判定部２８が第１の送信部１６へ第２の端末３宛ての第１の通信権貸与データ１４（一回目）の送信指示信号５３の出力を行う時間を決定し、第１の判定部２８が第２の端末３宛ての第１の通信権貸与データ１４（一回目）の送信指示信号５３を出力する時間から第２の端末３が第２の応答データ１２を送信可能となる所定の時間ＴＢ３６を経過する前に、第１の判定部２８が出力予定の送信指示信号（ここでは図示せず）に対応する第１の通信権貸与データ（ここでは図示せず）の宛先の端末であった第５の端末５６宛ての第１の通信権貸与データ５８の送信指示信号５３が、時間時間Ｔ６５７に出力されている事が示されている。
【００７８】
つまり、予め定められた第１のネットワークＡ（６）上に存在する第５の端末５６宛ての第１の通信権貸与データ５８の送信指示信号５３を出力する時間および時間Ｔ６５７後に出力する送信指示信号５３に対応する第１の通信権貸与データ（図示せず）の宛て先を更新するので、第２の端末３が第２の応答データ１２を送信可能となる所定の時間ＴＢ３６のタイミングで送信権を獲得する機会を失った第５の端末５６に対して適切な時間で通信権を貸与する事ができる。従って、通信時間の短縮が可能なネットワークを提供することが可能となっている。
【００７９】
ここでは、第５の端末５６宛ての第１の通信権貸与データ５８の送信指示信号５３が、時間時間Ｔ６５７に出力されている事が示されているものとして説明したが、通信の優先順位の高い第６の端末（図示せず）に出力されても良い。この場合、第１の判定部２８は、１回目の第２の端末３宛ての第１の通信権貸与データ１４（二回目）の送信指示信号５３の出力前に予め定められた第６の端末（図示せず）宛ての第１の通信権貸与データ（図示せず）の送信指示信号（図示ぜず）を出力する時間に第５の端末５６宛ての通信権貸与データ５８の送信指示信号５３を出力しても良い。このように、時間Ｔ６５７に第１の判定部２８が送信指示信号５３を出力する第１のネットワークＡ（６）上に存在する端末は適宜選択が可能であり、時間Ｔ６５７をロスすることなく通信することが可能となっている。
【００８０】
なお、本実施形態３では、第１の要求データ８が第４の端末１から送信され第５の受信部２１を介して受信されるものとして説明したが、これに限るものではない。例えば、第１の端末２内の演算部（図示せず）が自ら命令を生成して第１の端末２への返信を要求する第１の要求データ８を生成しても良い。この場合、第５の受信部２１を介して受信されることはなく、第１の端末２内の演算部（図示せず）が自ら命令を生成した第１の要求データ８を第１の判定部２８が判定することになる。あるいは、第１のネットワークＡ（６）内の端末から自らに対応する端末への返信を要求する第１の要求データ８が送信されても良い。この場合、第１のネットワークＡ（６）内の端末から送信された第１の要求データ８は、第１の受信部２２を介して受信され、第１の判定部２８が判定することになる。このように、第１の判定部２８は、第１の端末２が受信および命令を生成する第１のデータ２９の種類を判定し、第１の送信部１６へ第２の端末３宛ての第１の通信権貸与データ１４（一回目）の送信指示信号５３の出力を行う時間を決定し、第１のデータ２９の種類の判定結果に応じて、第１の送信部１６へ第２の端末３宛ての第１の通信権貸与データ１４（一回目）の送信指示信号５３を出力することが可能である。なお、第１の応答データ１１が第１の端末２宛ての場合は、第３の応答データ１３が送信されることはない。また、第３の応答データ１３が生成された場合は、第１の端末２は第３の応答データ１３に対応する端末へ第３の応答データ１３を送信する。この際、第１の端末２は通信待ち時間を低減し２の応答データ１２を入手することが可能となっているので、第３の応答データ１３を送信開始する時間を短縮することが可能となっている。
【産業上の利用可能性】
【００８１】
ネットワークを利用する通信機器、通信機器を利用する電気機器に利用できる。
【符号の説明】
【００８２】
１  第４の端末
２  第１の端末
３  第２の端末
４  第３の端末
６  第１のネットワーク
７  第２のネットワーク
９  第２の要求データ
１４  ３１  第１の通信権貸与データ
２８  第１の判定部
【図１】
2015002404.tif 000003
【図２】
2015002404.tif 000004
【図３】
2015002404.tif 000005
【図４】
2015002404.tif 000006
【図５】
2015002404.tif 000007
【図６】
2015002404.tif 000008
【図７】
2015002404.tif 000009
【図８】
2015002404.tif 000010
【図９】
2015002404.tif 000011